(57)【要約】【課題】ロッカー装置での商品販売において、購入者の作業負担を低減することである。【解決手段】サーバ５０は、商品を収納可能なロッカー部を備え、キーの入力により当該ロッカー部を開放可能なロッカー装置２０の近傍の領域に携帯端末１０Ｂが位置することを検知する位置検知装置３０により、携帯端末１０Ｂが当該近傍の領域に位置することが検知された旨を示す端末検知情報を受信する通信部１３と、ロッカー装置２０に収納された商品の商品購入画面情報を生成する制御部１１と、を備える。制御部１１は、端末検知情報の受信に応じて、通信部１３を介して、生成された商品購入画面情報を携帯端末１０Ｂに送信して表示させる。【選択図】  図２
2015219798.tif 000002
【特許請求の範囲】
【請求項１】
商品の購入者が所持する携帯端末と通信接続されたサーバであって、
商品を収納可能なロッカー部を備え、キーの入力により当該ロッカー部を開放可能なロッカー装置の近傍の領域に前記携帯端末が位置することを検知する位置検知装置により、当該携帯端末が当該近傍の領域に位置することが検知された旨を示す端末検知情報を受信する第１の受信手段と、
前記ロッカー装置に収納された商品の商品購入画面情報を生成する生成手段と、
前記端末検知情報の受信に応じて、前記生成された商品購入画面情報を前記携帯端末に送信して表示させる第１の送信手段と、を備えるサーバ。
【請求項２】
前記ロッカー装置のロッカー部を識別するロッカー部識別情報と、当該ロッカー部識別情報のロッカー部を開放するためのキーと、を対応付けて記憶する記憶手段と、
前記商品購入画面情報に対応して、前記購入者の購入対象の商品が収納されたロッカー部のロッカー部識別情報を前記携帯端末から受信する第２の受信手段と、
前記購入対象の商品の購入後に、前記受信したロッカー部識別情報に対応するキーを前記記憶手段から読み出して、前記携帯端末に送信する第２の送信手段と、を備える請求項１に記載のサーバ。
【請求項３】
出品する商品の収納先のロッカー部識別情報と、当該ロッカー部識別情報に対応するキーとを、出品者が操作する端末装置から受信する第３の受信手段と、
前記受信したロッカー部識別情報及びキーを対応付けて前記記憶手段に記憶する記憶制御手段と、を備える請求項２に記載のサーバ。
【請求項４】
前記第３の受信手段は、前記ロッカー部識別情報と、前記キーと、出品する商品に関する出品情報と、を前記端末装置から受信し、
前記記憶制御手段は、前記受信したロッカー部識別情報、キー及び出品情報を対応付けて前記記憶手段に記憶し、
前記生成手段は、前記ロッカー部識別情報に対応する出品情報を含む商品購入画面情報を生成する請求項３に記載のサーバ。
【請求項５】
前記位置検知装置は、前記端末検知情報を前記携帯端末に送信し、
前記第１の受信手段は、前記端末検知情報を前記携帯端末から受信する請求項１から４のいずれか一項に記載のサーバ。
【請求項６】
請求項１から５のいずれか一項に記載のサーバと、
前記位置検知装置と、を備える商品販売システム。
【請求項７】
商品を収納可能なロッカー部を備え、キーの入力により当該ロッカー部を開放可能なロッカー装置の近傍の領域に、商品の購入者が所持する携帯端末が位置することを検知する位置検知装置により、当該携帯端末が当該近傍の領域に位置することを検知した旨を示す端末検知情報を受信する受信工程と、
前記ロッカー装置に収納された商品の商品購入画面情報を生成する生成工程と、
前記端末検知情報の受信に応じて、前記生成された商品購入画面情報を前記携帯端末に送信して表示させる送信工程と、を含む商品購入画面表示方法。
【請求項８】
商品の購入者が所持する携帯端末と通信接続されたサーバのコンピュータを、
商品を収納可能なロッカー部を備え、キーの入力により当該ロッカー部を開放可能なロッカー装置の近傍の領域に前記携帯端末が位置することを検知する位置検知装置により、当該携帯端末が当該近傍の領域に位置することを検知した旨を示す端末検知情報を受信する受信手段、
前記ロッカー装置に収納された商品の商品購入画面情報を生成する生成手段、
前記端末検知情報の受信に応じて、前記生成された商品購入画面情報を前記携帯端末に送信して表示させる送信手段、
として機能させるためのプログラム。
【発明の詳細な説明】
【技術分野】
【０００１】
本発明は、サーバ、商品販売システム、商品購入画面表示方法及びプログラムに関する。
【背景技術】
【０００２】
従来、透明な窓部を有する収納部を備え、任意の物品提供者が物品を当該収納部に収納して、物品購入者に販売できるロッカー装置が知られている（特許文献１参照）。物品提供者は、物品の販売価格、物品情報、提供者情報及び収納部番号を、ロッカー装置に設けられたタッチパネルに入力し、当該収納部番号の収納部に物品を収納する。
【０００３】
そして、物品購入者は、収納してある物品を視認し、購入する物品の収納部番号を入力し、当該物品の現金をロッカー装置に投入する。ロッカー装置は、投入された現金が販売価格以上である場合に、前記収納部番号の収納部のロックを解除する。物品購入者は、収納部から物品を取り出す。販売後、物品提供者がタッチパネルに売上金の払出請求を入力すると、ロッカー装置は、物品提供者の認証後、売上金からロッカー利用料を差し引いて払出を行う。
【先行技術文献】
【特許文献】
【０００４】
【特許文献１】特開２００７−７２９８３号公報
【発明の概要】
【発明が解決しようとする課題】
【０００５】
しかし、特許文献１のロッカー装置では、物品購入者が普段使い慣れていないロッカー装置のタッチパネルに収納部番号入力を行い、販売価格等の情報表示を行わせるので、物品購入者の操作作業が煩雑となるおそれがあった。さらに、複数の物品購入者がいる場合に、１人の物品購入者がロッカー装置のタッチパネルを占有してしまい、他の物品購入者の商品情報閲覧の順番待ちの負担が大きい。
【０００６】
本発明の課題は、ロッカー装置での商品販売において、購入者の作業負担を低減することである。
【課題を解決するための手段】
【０００７】
上記課題を解決するために、請求項１に記載の発明は、
商品の購入者が所持する携帯端末と通信接続されたサーバであって、
商品を収納可能なロッカー部を備え、キーの入力により当該ロッカー部を開放可能なロッカー装置の近傍の領域に前記携帯端末が位置することを検知する位置検知装置により、当該携帯端末が当該近傍の領域に位置することが検知された旨を示す端末検知情報を受信する第１の受信手段と、
前記ロッカー装置に収納された商品の商品購入画面情報を生成する生成手段と、
前記端末検知情報の受信に応じて、前記生成された商品購入画面情報を前記携帯端末に送信して表示させる第１の送信手段と、を備える。
【０００８】
請求項２に記載の発明は、請求項１に記載のサーバにおいて、
前記ロッカー装置のロッカー部を識別するロッカー部識別情報と、当該ロッカー部識別情報のロッカー部を開放するためのキーと、を対応付けて記憶する記憶手段と、
前記商品購入画面情報に対応して、前記購入者の購入対象の商品が収納されたロッカー部のロッカー部識別情報を前記携帯端末から受信する第２の受信手段と、
前記購入対象の商品の購入後に、前記受信したロッカー部識別情報に対応するキーを前記記憶手段から読み出して、前記携帯端末に送信する第２の送信手段と、を備える。
請求項３に記載の発明は、請求項２に記載のサーバにおいて、
出品する商品の収納先のロッカー部識別情報と、当該ロッカー部識別情報に対応するキーとを、出品者が操作する端末装置から受信する第３の受信手段と、
前記受信したロッカー部識別情報及びキーを対応付けて前記記憶手段に記憶する記憶制御手段と、を備える。
【０００９】
請求項４に記載の発明は、請求項３に記載のサーバにおいて、
前記第３の受信手段は、前記ロッカー部識別情報と、前記キーと、出品する商品に関する出品情報と、を前記端末装置から受信し、
前記記憶制御手段は、前記受信したロッカー部識別情報、キー及び出品情報を対応付けて前記記憶手段に記憶し、
前記生成手段は、前記ロッカー部識別情報に対応する出品情報を含む商品購入画面情報を生成する。
【００１０】
請求項５に記載の発明は、請求項１から４のいずれか一項に記載のサーバにおいて、
前記位置検知装置は、前記端末検知情報を前記携帯端末に送信し、
前記第１の受信手段は、前記端末検知情報を前記携帯端末から受信する。
【００１１】
請求項６に記載の発明の商品販売システムは、
請求項１から５のいずれか一項に記載のサーバと、
前記位置検知装置と、を備える。
【００１２】
請求項７に記載の発明の商品購入画面表示方法は、
商品を収納可能なロッカー部を備え、キーの入力により当該ロッカー部を開放可能なロッカー装置の近傍の領域に、商品の購入者が所持する携帯端末が位置することを検知する位置検知装置により、当該携帯端末が当該近傍の領域に位置することを検知した旨を示す端末検知情報を受信する受信工程と、
前記ロッカー装置に収納された商品の商品購入画面情報を生成する生成工程と、
前記端末検知情報の受信に応じて、前記生成された商品購入画面情報を前記携帯端末に送信して表示させる送信工程と、を含む。
【００１３】
請求項８に記載の発明のプログラムは、
商品の購入者が所持する携帯端末と通信接続されたサーバのコンピュータを、
商品を収納可能なロッカー部を備え、キーの入力により当該ロッカー部を開放可能なロッカー装置の近傍の領域に前記携帯端末が位置することを検知する位置検知装置により、当該携帯端末が当該近傍の領域に位置することを検知した旨を示す端末検知情報を受信する受信手段、
前記ロッカー装置に収納された商品の商品購入画面情報を生成する生成手段、
前記端末検知情報の受信に応じて、前記生成された商品購入画面情報を前記携帯端末に送信して表示させる送信手段、
として機能させる。
【発明の効果】
【００１４】
本発明によれば、ロッカー装置での商品販売において、購入者の作業負担を低減できる。
【図面の簡単な説明】
【００１５】
【図１】本発明の実施の形態の商品販売システムの外観構成を示す図である。
【図２】商品販売システムの機能構成を示すブロック図である。
【図３】出品情報テーブルの構成を示す図である。
【図４】（ａ）は、商品登録要求処理を示すフローチャートである。（ｂ）は、商品登録処理を示すフローチャートである。
【図５】（ａ）は、商品購入処理を示すフローチャートである。（ｂ）は、商品販売処理を示すフローチャートである。
【発明を実施するための形態】
【００１６】
以下、添付図面を参照して本発明に係る実施の形態を詳細に説明する。なお、本発明は、図示例に限定されるものではない。
【００１７】
［１．実施の形態］
図１〜図５を参照して、本発明に係る実施の形態を説明する。
【００１８】
［２．装置構成の説明］
図１及び図２を参照して、本実施の形態の装置構成を説明する。図１は、本実施の形態の商品販売システム１の外観構成を示す図である。図２は、商品販売システム１の機能構成を示すブロック図である。
［２−１．商品販売システム１の外観構成］
図１を参照して、本実施の形態の商品販売システム１の外観構成を説明する。商品販売システム１は、携帯端末１０Ａ，１０Ｂと、ロッカー装置２０と、位置検知装置３０と、アクセスポイント４０と、を備える。
【００１９】
携帯端末１０Ａは、販売する商品の出品者Ｕ１が所持する携帯端末である。携帯端末１０Ｂは、商品の購入者Ｕ２が所持する携帯端末である。出品者Ｕ１、購入者Ｕ２は、それぞれ、全ての出品者、全ての購入者を代表して表したものであり、１人に限定されるものではない。
【００２０】
携帯端末１０Ａ，１０Ｂは、無線ＬＡＮ（Local Area Network）通信機能を有する携帯端末であり、本実施の形態では、スマートフォンであるものとして説明する。しかし、携帯端末１０Ａ，１０Ｂは、スマートフォンに限定されるものではなく、タブレットＰＣ（Personal Computer）、携帯電話機、ＰＤＡ（Personal Digital Assistant）等、他の携帯端末でもよい。また、携帯端末１０Ａは、携帯端末に限定されるものではなく、デスクトップＰＣ等、他の端末装置としてもよい。この端末装置は、後述する通信ネットワークＮを介して、後述するサーバ５０と通信接続される。
【００２１】
携帯端末１０Ａ，１０Ｂは、無線ＬＡＮ通信機能により、アクセスポイント４０と無線ＬＡＮ通信を行い、アクセスポイント４０に通信接続された後述するサーバ５０と通信を行う。
【００２２】
ロッカー装置２０は、利用料金の投入により、出品者Ｕ１が出品する商品等の物品を収納して所定保管期間の保管をする既存の電子コインロッカー装置である。ロッカー装置２０は、ロッカー部２０ａ，２０ｂ，２０ｃ，２０ｄ，２０ｅを有する。ロッカー部２０ａ，２０ｂ，２０ｃ，２０ｄ，２０ｅには、別々に商品が収納される。ロッカー装置２０のロッカー部の数は、５に限定するものではなく、他の数でもよい。
【００２３】
また、ロッカー装置２０は、ロッカー部２０ａ，２０ｂ，２０ｃ，２０ｄ，２０ｅに、開閉するための扉部２０１を有する。また、ロッカー装置２０は、ロッカー部２０ａ，２０ｂ，２０ｃ，２０ｄ，２０ｅの各扉部２０１に、窓部２０２を有する。窓部２０２は、透明なガラスや樹脂により構成されている。出品者、購入者等の利用者は、窓部２０２を通して、各ロッカー部内に収納された商品を視認できる。
【００２４】
また、ロッカー部２０ａ，２０ｂ，２０ｃ，２０ｄ，２０ｅは、入力部２３と、各扉部２０１に設けられたロック機構部２４と、を有する。入力部２３は、各扉部２０１を開けるためのロッカー部識別番号、キー（暗証番号等）等の操作情報の入力を受け付ける。また、入力部２３は、ＲＦＩＤ（Radio Frequency IDentifier）方式等のプリペイドカードとしてのＩＣ（Integrated Circuit）カードの情報入力部と、現金の投入部及び払戻部と、を含む。入力部２３は、ロッカー部識別番号等の入力の操作補助のため情報を表示する表示部を含んでもよい。しかし、入力部２３の表示部は収納された商品に関する情報を表示することはできない。また、入力部２３は、レシート印刷を行うレシート印刷部を含む。
【００２５】
ロック機構部２４は、ロッカー部２０ａ，２０ｂ，２０ｃ，２０ｄ，２０ｅの各扉部２０１にロックをかける又はロックを解除する機構である。
【００２６】
ロッカー装置２０は、初期状態において、ロック機構部２４により、ロッカー部２０ａ，２０ｂ，２０ｃ，２０ｄ，２０ｅのうち、物品が収納されていないものの扉部２０１のロックが解除されている。利用者により、ロックが解除されたロッカー部の一つの扉部２０１が開けられて、当該ロッカー部に物品が収納され、その扉部２０１が閉められる。そして、ロッカー装置２０は、入力部２３により、利用者から、ロッカー部２０ａ，２０ｂ，２０ｃ，２０ｄ，２０ｅのうちの物品が収納された一つの選択情報の入力を受け付け、ＩＣカードの近接又は現金の投入による利用料金の支払いを受け付ける。そして、ロッカー装置２０は、支払いが正常に行われた場合に、ロック機構部２４により、選択されたロッカー部の扉部２０１のロックをかけ、キー（暗証番号等）を発行し、入力部２３のレシート印刷部によりキーを印刷したレシートを出力する。
【００２７】
物品の取り出し時に、ロッカー装置２０は、利用者から、入力部２３により、物品が収納されているロッカー部２０ａ，２０ｂ，２０ｃ，２０ｄ，２０ｅの一つの選択情報及びレシートに印刷されたキーの入力を受け付け、保管期間の超過がある場合には、その超過料金の支払いを受け付ける。そして、ロッカー装置２０は、ロック機構部２４により、選択されたロッカー部の扉部２０１のロックを解除し、利用者により物品が取り出される。また、ロッカー装置２０は、キーを入力してからロックをかけるタイプの装置でもよい。その装置である場合は、利用者がキーを自ら決定し、決定したキーを入力部２３に入力して、物品を収納したロッカー部のロックをかける。
【００２８】
位置検知装置３０は、ロッカー装置２０の近傍の領域ＡＲ１内に位置する購入者Ｕ２の携帯端末１０Ｂを検知する装置である。位置検知装置３０は、例えば、複数のアクセスポイントを有し、各アクセスポイントと携帯端末１０Ｂとの通信時間の差により、携帯端末１０Ｂの位置を特定して検知する。また、位置検知装置３０は、Bluetooth（登録商標）等に対応したbeacon端末でもよい。また、位置検知装置３０は、領域ＡＲ１内に携帯端末１０Ｂを検知した場合に、携帯端末１０Ｂの検知の旨を示す端末検知情報を生成して携帯端末１０Ｂに送信する。また、アクセスポイント４０は、少なくとも領域ＡＲ１内に携帯端末１０Ｂが位置する場合に、携帯端末１０Ｂと通信が可能であるものとする。
【００２９】
［２−２．商品販売システム１の機能構成］
図２を参照して、商品販売システム１の機能構成を説明する。商品販売システム１は、携帯端末１０Ａ，１０Ｂ、ロッカー装置２０、位置検知装置３０、アクセスポイント４０に加えて、サーバ５０を備える。位置検知装置３０、アクセスポイント４０、サーバ５０は、インターネット等の通信ネットワークＮを介して通信接続されている。携帯端末１０Ａ，１０Ｂは、アクセスポイント４０を介して、通信ネットワークＮに通信接続されている。
【００３０】
［２−３．携帯端末１０Ａ，１０Ｂの機能構成］
携帯端末１０Ａ，１０Ｂは、同様の機能構成を有する。図２に示すように、携帯端末１０Ａ，１０Ｂは、制御部１１と、記憶部１２と、通信部１３と、表示部１４と、操作部１５と、を備える。
【００３１】
制御部１１は、ＣＰＵ（Central Processing Unit）、ＲＡＭ（Random Access Memory）により構成される。制御部１１は、ＣＰＵが記憶部１２に記憶されたプログラムをＲＡＭに展開し、当該展開されたプログラムとＣＰＵとの協働で、各種処理を実行する。
【００３２】
記憶部１２は、フラッシュメモリ、ＥＥＰＲＯＭ（Electrically Erasable Programmable Read Only Memory）等のデータの読み取り及び書き込みが可能な記憶部により構成され、各種データ及びプログラムを記憶する。携帯端末１０Ａの記憶部１２には、商品登録要求プログラムが記憶されているものとする。携帯端末１０Ｂの記憶部１２には、商品購入プログラムが記憶されているものとする。
【００３３】
通信部１３は、アンテナ、変調復調回路、信号処理回路等からなる無線通信部により構成され、無線ＬＡＮ通信方式により、通信ネットワークＮ上のアクセスポイント４０と情報の送受信を行う。このため、制御部１１は、通信部１３により、アクセスポイント４０を介して、通信ネットワークＮ上の機器（サーバ５０）との通信が可能である。
【００３４】
表示部１４は、ＬＣＤ（Liquid Crystal Display）等で構成され、各種表示情報を表示する。操作部１５は、表示部１４の表示画面に一体的に設けられたタッチパネル等で構成され、ユーザからの操作入力を受け付け、その操作情報を制御部１１に出力する。
【００３５】
［２−３．ロッカー装置２０の構成］
図２に示すように、ロッカー装置２０は、制御部２１と、記憶部２２と、入力部２３と、ロック機構部２４と、を備える。
【００３６】
制御部２１、記憶部２２は、携帯端末１０Ａ，１０Ｂの制御部１１、記憶部１２と同様の構成である。記憶部２２には、各ロッカー部に物品が収納された場合に、ロック機構部２４のロックを解除するためのキーが記憶される。
【００３７】
入力部２３は、ロッカー部の選択情報及びキーの入力を受け付け、その入力情報を制御部２１に出力する。また、入力部２３は、ＩＣカードの近接又は現金の投入による所定保管期間の利用料金の支払いを受け付け、その支払情報を制御部２１に出力する。
【００３８】
ロック機構部２４は、制御部２１の制御により、各ロッカー部の扉部２０１のロックをかけたり、ロックの解除を行う。
【００３９】
［２−４．サーバ５０の構成］
図２に示すように、サーバ５０は、生成手段、記憶制御手段としての制御部５１と、記憶手段としての記憶部５２と、第１の受信手段、第２の受信手段、第３の受信手段、第１の送信手段、第２の送信手段としての通信部５３と、を備える。
【００４０】
制御部５１は、携帯端末１０Ａ，１０Ｂの制御部１１と同様に、ＣＰＵが記憶部５２に記憶されたプログラムをＲＡＭに展開し、当該展開されたプログラムとＣＰＵとの協働で、各種処理を実行する。
【００４１】
記憶部５２は、ＨＤＤ（Hard Disk Drive）、ＳＳＤ（Solid State Drive）等のデータの読み取り及び書き込みが可能な記憶部により構成され、各種データ及びプログラムを記憶する。記憶部５２には、後述する出品情報テーブル６０、商品登録プログラム及び商品販売プログラムが記憶されている。
【００４２】
通信部５３は、ネットワークカード等により構成され、通信ネットワークＮと情報の送受信を行う。このため、制御部５１は、通信部５３により、通信ネットワークＮ上の機器（携帯端末１０Ａ，１０Ｂ）との通信が可能である。
【００４３】
［３．サーバ５０に記憶される情報］
図３を参照して、サーバ５０の記憶部５２に記憶される情報を説明する。図３は、出品情報テーブル６０の構成を示す図である。
【００４４】
記憶部５２に記憶された出品情報テーブル６０は、出品番号６１と、ロッカー部番号６２と、キー６３と、出品情報６４と、出品状態６５と、口座情報６６と、の項目を有する。
【００４５】
出品番号６１は、ロッカー装置２０への商品の出品の識別情報である。ロッカー部番号６２は、出品番号６１の出品に対応する商品収納先のロッカー部２０ａ，２０ｂ，２０ｃ，２０ｄ，２０ｅの識別情報である。キー６３は、出品番号６１の出品に対応するロッカー部２０ａ，２０ｂ，２０ｃ，２０ｄ，２０ｅの扉部２０１のロックを解除するための暗証番号等のキーである。
【００４６】
出品情報６４は、出品番号６１の出品に関する情報であり、商品情報（出品する商品の価格情報、状態情報、出品期間等）と、出品者の情報（出品者のＩＤ、名前、連絡先等）と、を含む。但し、出品情報６４は、商品の商品名、状態情報、外観情報（商品画像等）等を含まなくてもよい。なぜなら、購入者Ｕ２が窓部２０２から商品の商品名、状態情報及び外観情報を商品への直接的な目視により確認して取得できるため、これらの情報を商品購入画面情報での表示用に管理しなくてもよいからである。出品状態６５は、出品番号６１の出品における出品状態として、ロッカー部への未販売での商品収納中、又は商品販売済の状態を示す情報である。口座情報６６は、出品番号６１の出品の出品者の銀行等金融機関の口座番号等の情報である。
【００４７】
［４．商品販売システム１の動作］
図４（ａ）〜図５（ｂ）を参照して、商品販売システム１の動作を説明する。図４（ａ）は、商品登録要求処理を示すフローチャートである。図４（ｂ）は、商品登録処理を示すフローチャートである。図５（ａ）は、商品購入処理を示すフローチャートである。図５（ｂ）は、商品販売処理を示すフローチャートである。
【００４８】
［４−１．商品登録要求処理］
図４（ａ）を参照して、携帯端末１０Ａで実行される商品登録要求処理を説明する。商品登録要求処理は、出品者Ｕ１がロッカー装置２０に出品する商品に関する情報をサーバ５０に登録要求する処理である。
【００４９】
予め、出品者Ｕ１が、ロッカー装置２０に出品する商品を用意しているものとする。ロッカー装置２０の制御部２１は、出品者Ｕ１により選択されたロッカー部へ商品が収納され、入力部２３により、出品者Ｕ１からのロッカー部の選択入力及び料金支払いを受け付け、ロック機構部２４により、選択されたロッカー部の扉部２０１のロックをかけ、レシート印刷部によりキーを印刷したレシートを出力する。これにより、商品は、ロッカー装置２０に、キーが設定された状態で、収納されているものとする。
【００５０】
また、出品者Ｕ１に所持される携帯端末１０Ａがアクセスポイント４０（通信ネットワークＮ）に通信可能な位置にあるものとする。但し、携帯端末１０Ａの位置は、ロッカー装置２０の近傍に限定されるものではない。
【００５１】
携帯端末１０Ａにおいて、操作部１５を介して、出品者Ｕ１から商品登録要求処理の実行指示が入力されたことをトリガとして、制御部１１は、記憶部１２から読み出した商品登録要求プログラムに従い、商品登録要求処理を実行する。
【００５２】
図４（ａ）に示すように、先ず、制御部１１は、通信部１３により、ロッカー部に収納した出品対象の商品の登録要求の旨を示す商品登録要求をサーバ５０に送信する（ステップＳ１１）。そして、制御部１１は、通信部１３により、商品登録画面情報をサーバ５０から受信して表示部１４に表示する（ステップＳ１２）。商品登録画面情報は、ロッカー部に収納した出品対象の商品のロッカー部番号、キー、出品情報、出品者Ｕ１の口座情報の入力を受け付ける画面の情報である。
【００５３】
そして、制御部１１は、操作部１５により、商品登録画面情報を介して出品者Ｕ１からのロッカー部番号、キー、出品情報、口座情報の操作入力を受け付ける（ステップＳ１３）。ステップＳ１３で入力される出品情報は、商品の価格情報等の商品情報と、出品者の情報と、を含むが、商品の商品名、状態情報、外観情報等を含まなくてもよい。そして、制御部１１は、通信部１３により、ステップＳ１３で入力されたロッカー部番号、キー、出品情報、口座情報をサーバ５０に送信し（ステップＳ１４）、商品登録要求処理を終了する。ステップＳ１４において、ロッカー部番号、キー、出品情報、口座情報は、暗号化されてサーバ５０に送信されることが好ましい。
【００５４】
［４−２．商品登録処理］
図４（ｂ）を参照して、サーバ５０で実行される商品登録処理を説明する。商品登録処理は、携帯端末１０Ａからの商品登録要求に応じて、出品する商品に関する情報を登録する処理である。
【００５５】
サーバ５０において、図４（ａ）の商品登録要求処理のステップＳ１１に対応して、通信部５３を介して、商品登録要求を携帯端末１０Ａから受信したことをトリガとして、制御部５１は、記憶部１２から読み出した商品登録プログラムに従い、商品登録処理を実行する。
【００５６】
図４（ｂ）に示すように、先ず、図４（ａ）のステップＳ１２に対応して、制御部５１は、通信部５３により、商品登録画面情報を生成して携帯端末１０Ａに送信する（ステップＳ２１）。そして、図４（ａ）のステップＳ１４に対応して、制御部５１は、通信部５３により、ロッカー部番号、キー、出品情報、口座情報を携帯端末１０Ａから受信したか否かを判別する（ステップＳ２２）。ロッカー部番号、キー、出品情報、口座情報を受信していない場合（ステップＳ２２；ＮＯ）、ステップＳ２２に移行される。ステップＳ２２において、受信したロッカー部番号及び決済情報が暗号化されている場合に、これらが復号化される。
【００５７】
ロッカー部番号、キー、出品情報、口座情報を受信した場合（ステップＳ２２；ＹＥＳ）、制御部５１は、ステップＳ２２で受信したロッカー部番号、キー、出品情報、口座情報を、出品情報テーブル６０の新たに追加した出品番号６１のレコードのロッカー部番号６２、キー６３、出品情報６４、口座情報６６に記憶し、出品状態６５を商品収納中にして商品登録し（ステップＳ２３）、商品登録処理を終了する。
【００５８】
［４−３．商品購入処理］
図５（ａ）を参照して、携帯端末１０Ｂで実行される商品購入処理を説明する。商品購入処理は、ロッカー装置２０に収納された商品を購入するための商品購入画面情報を表示して、購入者Ｕ２による当該商品の購入を行い、ロッカー装置２０からの当該商品取り出しのためのキーを表示する処理である。
【００５９】
位置検知装置３０は、少なくとも領域ＡＲ１を含む領域に位置する購入者Ｕ２に所持された携帯端末１０Ｂ等の携帯端末と、無線ＬＡＮ通信方式で無線通信が可能である。そして、位置検知装置３０は、通信可能な携帯端末１０Ｂが領域ＡＲ１内に位置することを検知し、検知した場合に、その検知された旨を示す端末検知情報を生成して携帯端末１０Ｂに送信する。
【００６０】
携帯端末１０Ｂにおいて、通信部１３により、端末検知情報を位置検知装置３０から受信したことをトリガとして、制御部１１は、記憶部１２から読み出した商品購入プログラムに従い、商品購入処理を実行する。
【００６１】
図５（ａ）に示すように、制御部１１は、通信部１３により、受信した端末検知情報をサーバ５０に送信する（ステップＳ３１）。そして、制御部１１は、通信部１３により、商品購入画面情報をサーバ５０から受信し、表示部１４に表示する（ステップＳ３２）。商品購入画面情報は、商品購入のための情報を入力するための画面情報であり、ロッカー装置２０の各ロッカー部に入力された商品に関する出品情報の表示欄と、購入する商品が収納されたロッカー部のロッカー部番号、及びクレジットカードのカード番号等の決済用情報の入力欄と、を含む。
【００６２】
そして、制御部１１は、表示された商品購入画面情報に応じて、購入者Ｕ２からの購入する商品のロッカー部番号及び決済用情報の操作入力を受け付ける（ステップＳ３３）。そして、制御部１１は、通信部１３により、ステップＳ３３で入力されたロッカー部番号と、商品の価格情報を含めた決済用情報とをサーバ５０に送信する（ステップＳ３４）。ステップＳ３４において、ロッカー部番号及び決済用情報は、暗号化されてサーバ５０に送信されることが好ましい。
【００６３】
そして、制御部１１は、通信部１３により、情報をサーバ５０から受信し、受信した情報が、決済ができなかった旨の決済ＮＧ情報であるか、商品取り出し用の暗号化されたキーであるかを判別する（ステップＳ３５）。決済ＮＧ情報である場合（ステップＳ３５；決済ＮＧ情報）、制御部１１は、受信した決済ＮＧ情報を表示部１４に表示し（ステップＳ３６）、商品購入処理を終了する。
【００６４】
暗号化されたキーである場合（ステップＳ３５；キー）、制御部１１は、受信した暗号化されたキーを復号化する（ステップＳ３７）。そして、制御部１１は、ステップＳ３７で復号化したキーを表示部１４に表示し（ステップＳ３８）、商品購入処理を終了する。
【００６５】
購入者Ｕ２は、表示部１４に表示されたキーを目視し、ロッカー装置２０のステップＳ３３で入力したロッカー部番号のロッカー部の入力部２３に当該キーを入力して、扉部２０１を開け、収納されている商品を取り出す。
【００６６】
［４−４．商品販売処理］
図５（ｂ）を参照して、サーバ５０で実行される商品販売処理を説明する。商品販売処理は、ロッカー装置２０に収納された商品の購入に応じて、当該商品の取り出し用のキーを携帯端末１０Ｂに送信する処理である。
【００６７】
サーバ５０において、図５（ａ）の商品購入処理のステップＳ３１に対応して、通信部５３により、端末検知情報を携帯端末１０Ｂから受信したことをトリガとして、制御部５１は、記憶部５２から読み出した商品販売プログラムに従い、商品販売処理を実行する。
【００６８】
図５（ｂ）に示すように、先ず、制御部５１は、通信部５３により、端末検知情報を携帯端末１０Ｂから受信する（ステップＳ４１）。そして、制御部５１は、記憶部５２から出品情報テーブル６０を読み出し、出品情報テーブル６０を用いて、商品購入画面情報を生成する（ステップＳ４２）。ステップＳ４２では、出品状態６５が商品収納中であるレコードのロッカー部番号６２、出品情報６４を含む表示欄と、ロッカー部番号及び決済用情報の入力欄と、を含む商品購入画面情報が生成される。
【００６９】
そして、図５（ａ）のステップＳ３２に対応して、制御部５１は、通信部５３により、ステップＳ４２で生成した商品購入画面情報を携帯端末１０Ｂに送信する（ステップＳ４３）。そして、図５（ａ）のステップＳ３４に対応して、制御部５１は、通信部５３により、ロッカー部番号及び決済情報を携帯端末１０Ｂから受信したか否かを判別する（ステップＳ４４）。ロッカー部番号及び決済情報を受信していない場合（ステップＳ４４；ＮＯ）、ステップＳ４４に移行される。
【００７０】
ロッカー部番号及び決済情報を受信した場合（ステップＳ４４；ＹＥＳ）、制御部５１は、通信部５３により、ステップＳ４４で受信した決済用情報をカード会社のサーバ（図示略）に送信し、当該決済用情報に対応する決済結果を携帯端末１０Ｂから受信する（ステップＳ４５）。ステップＳ４４において、受信したロッカー部番号及び決済情報が暗号化されている場合に、復号化される。ステップＳ４５において、決済用情報は、暗号化されてカード会社のサーバに送信されることが好ましい。
【００７１】
そして、制御部５１は、ステップＳ４５で受信された決済結果が決済ＯＫであるか決済ＮＧであるかを判別する（ステップＳ４６）。決済ＯＫである場合（ステップＳ４６；ＯＫ）、制御部５１は、出品情報テーブル６０から、ステップＳ４４で受信したロッカー部番号６２に対応するキー６３を読み出して暗号化する（ステップＳ４７）。そして、図５（ａ）のステップＳ３５に対応して、制御部５１は、通信部５３により、ステップＳ４７で暗号化したキーを携帯端末１０Ａに送信し（ステップＳ４８）、商品販売処理を終了する。
【００７２】
決済ＮＧである場合（ステップＳ４６；ＮＧ）、図５（ａ）のステップＳ３５に対応して、制御部５１は、決済ＮＧ情報を生成し、通信部５３により、決済ＮＧ情報を携帯端末１０Ｂに送信し（ステップＳ４９）、商品販売処理を終了する。
【００７３】
サーバ５０に支払われた商品の料金について、サーバ５０の制御部５１は、商品販売処理の販売完了毎や、複数の商品販売におけるバッチ処理等の実行タイミングにおいて、出品情報テーブル６０の口座情報６６に対象の商品の支払われた料金を振り込み処理する。
【００７４】
［５．実施の形態の効果］
本実施の形態によれば、サーバ５０は、位置検知装置３０により、携帯端末１０Ｂが領域ＡＲ１に位置することが検知された旨を示す端末検知情報を受信し、ロッカー装置２０に収納された商品の商品購入画面情報を生成し、端末検知情報の受信に応じて、生成された商品購入画面情報を携帯端末１０Ｂに送信して表示させる。
【００７５】
このため、ロッカー装置２０での商品販売において、購入者Ｕ２がロッカー装置２０の近傍で手元にある携帯端末１０Ｂで商品購入画面情報を容易に視認及び操作でき、購入者Ｕ２の作業負担を低減できる。また、購入者が複数いる場合にも、各購入者が手元にある携帯端末１０Ｂでそれぞれ商品購入画面情報を容易に視認及び操作でき、従来のロッカー装置に設置されたタッチパネル操作の順番待ちをしなくてもよく、購入者の作業負担をより低減できる。また、既存のロッカー装置２０を利用して商品販売できるため、システム構築を容易にでき、そのコストを低減できる。さらに、購入者Ｕ２は、領域ＡＲ１での商品購入画面情報の表示により、近傍のロッカー装置２０が商品購入の対象であることを容易に確認でき、また出品者Ｕ１がロッカー装置２０の位置情報を登録する必要がなく、出品者Ｕ１の作業負担を低減できる。
【００７６】
また、サーバ５０は、出品情報テーブル６０を記憶部５２に記憶し、商品購入画面情報に対応して、購入者Ｕ２の購入対象の商品が収納されたロッカー部のロッカー部番号を携帯端末１０Ｂから受信し、購入対象の商品の購入後に、前記受信したロッカー部番号６２に対応するキー６３を記憶部５２から読み出して、携帯端末１０Ｂに送信する。このため、購入対象の商品が収納されたロッカー部のキーを携帯端末１０Ｂに表示でき、キーを入力することで、購入者Ｕ２が容易に商品をロッカー部から取り出しできる。
【００７７】
また、サーバ５０は、出品する商品の収納先のロッカー部番号と、当該ロッカー部番号に対応するキーとを携帯端末１０Ａから受信し、受信したロッカー部番号及びキーを記憶部５２の出品情報テーブル６０に記憶する。このため、出品者Ｕ１は、出品する商品のロッカー部番号及びキーを容易にサーバ５０に登録でき、サーバ５０は、ロッカー部番号及びキーを容易に管理できる。
【００７８】
また、サーバ５０は、出品する商品の収納先のロッカー部番号と、当該ロッカー部番号に対応するキーと、出品情報とを携帯端末１０Ａから受信し、受信したロッカー部番号、キー及び出品情報を記憶部５２の出品情報テーブル６０に記憶し、ロッカー部番号に対応する出品情報を含む商品購入画面情報を生成する。このため、出品者Ｕ１は、出品する商品のロッカー部番号、キー及び出品情報を容易にサーバ５０に登録でき、サーバ５０は、ロッカー部番号、キー及び出品情報を容易に管理できる。また、商品購入画面情報がロッカー部番号に対応する出品情報を含むので、商品購入画面情報の表示により、購入者Ｕ２が各ロッカー部に収納された商品に関する出品情報を容易に視認できる。さらに、各ロッカー部が窓部２０２を有するので、出品情報として、商品の商品名、状態情報、外観情報等を入力する必要がなく、出品者Ｕ１の作業負担を低減できる。
【００７９】
また、位置検知装置３０は、端末検知情報を携帯端末１０Ｂに送信し、サーバ５０は、端末検知情報を携帯端末１０Ｂから受信する。このため、サーバ５０が端末検知情報を容易に受信できるとともに、サーバ５０と位置検知装置３０との直接の通信構成をとらなくてよく、通信構成を簡単にできる。
【００８０】
［６．その他］
以上の説明では、本発明に係るプログラムのコンピュータ読み取り可能な媒体としてＨＤＤ、ＳＳＤを使用した例を開示したが、この例に限定されない。その他のコンピュータ読み取り可能な媒体として、フラッシュメモリ等の不揮発性メモリ、ＣＤ−ＲＯＭ等の可搬型記録媒体を適用することが可能である。また、本発明に係るプログラムのデータを通信回線を介して提供する媒体として、キャリアウエーブ（搬送波）も本発明に適用される。
【００８１】
なお、上記実施の形態における記述は、本発明に係るサーバ、商品販売システム、商品購入画面表示方法及びプログラムの一例であり、これに限定されるものではない。
【００８２】
例えば、上記実施の形態では、サーバ５０が、位置検知装置３０から端末検知情報を受信した携帯端末１０Ｂから、端末検知情報を受信する構成としたが、これに限定されるものではない。サーバ５０が、位置検知装置３０と直接通信接続され、端末検知情報を直接受信する構成としてもよい。この構成によれば、サーバ５０が端末検知情報を位置検知装置３０からより確実に受信できる。
【００８３】
また、上記実施の形態では、ロッカー装置２０が、各ロッカー部の扉部２０１に窓部２０２を有する構成としたが、これに限定されるものではない。ロッカー装置２０が、各ロッカー部の扉部２０１に窓部２０２を有しない構成としてもよい。窓部２０２がある構成では、購入者Ｕ２は、窓部２０２を介して直接目視した商品の外観と、商品購入画面情報における出品情報中の商品情報と、の両方から商品の情報を取得できる。窓部２０２がない構成では、購入者Ｕ２は、商品購入画面情報における出品情報中の商品情報から、商品の情報を取得できる。但し、各ロッカー部が窓部２０２を有しないので、出品者Ｕ１は、出品情報として、商品の商品名、状態情報、外観情報等を入力してサーバ５０の出品情報テーブル６０に登録する必要がある。
【００８４】
また、上記実施の形態では、サーバ５０が、購入者Ｕ２により購入された商品が収納されるロッカー部のキーを携帯端末１０Ｂに送信して表示させる構成としたが、これに限定されるものではない。例えば、携帯端末１０ＢがＲＦＩＤ（Radio Frequency IDentifier）方式の情報送信部を備え、ロッカー装置２０の入力部２３が、ＲＦＩＤ方式の情報受信部を備え、当該情報送信部へのキー入力に応じてロック機構部２４のロックを解除可能な構成とする。この構成において、携帯端末１０Ｂがサーバ５０からキーを受信すると、制御部１１が、受信したキーを情報送信部にセットする。この構成では、商品購入後、購入者Ｕ２が携帯端末１０Ｂの情報送信部を、ロッカー装置２０の購入対象の商品が収納されたロッカー部の入力部２３の情報受信部に近接させることで、当該ロッカー部の扉部２０１を開けることができる。
【００８５】
また、上記実施の形態における商品販売システム１の各構成要素の細部構成及び細部動作に関しては、本発明の趣旨を逸脱することのない範囲で適宜変更可能であることは勿論である。
【００８６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８７】
１  商品販売システム
１０Ａ，１０Ｂ  携帯端末
１１  制御部
１２  記憶部
１３  通信部
１４  表示部
１５  操作部
２０  ロッカー装置
２０ａ，２０ｂ，２０ｃ，２０ｄ，２０ｅ  ロッカー部
２０１  扉部
２０２  窓部
２１  制御部
２２  記憶部
２３  入力部
２４  ロック機構部
３０  位置検知装置
４０  アクセスポイント
５０  サーバ
５１  制御部
５２  記憶部
５３  通信部
Ｎ  通信ネットワーク
【図１】
2015219798.tif 000003
【図２】
2015219798.tif 000004
【図３】
2015219798.tif 000005
【図４】
2015219798.tif 000006
【図５】
2015219798.tif 000007